(57)【特許請求の範囲】
【請求項１】
健康診断の受診時毎に、前記健康診断の検査項目毎の検査結果値と前記受診時における基準値とを前記検査項目毎に対応させて付加して検査データ要素を生成する手段と、
複数の前記受診時による複数の前記検査データ要素を記憶する記憶手段と、
前記記憶手段から取得される前記複数の検査データ要素にそれぞれ含まれる所要検査項目の前記検査結果値及び前記基準値を、前記複数の検査データ要素にそれぞれ含まれる前記受診時に従って並べる第１画像の表示を行なう表示手段と、
前記複数の検査データ要素にそれぞれ含まれる前記所要検査項目の前記基準値の中から、所要基準値を選択する選択手段と、
前記第１画像の表示から、前記選択手段によって選択される前記所要基準値に基づく第２画像の表示に切替える切替手段と、
を有することを特徴とする検査データ判定システム。
【請求項２】
前記切替手段は、前記複数の検査データ要素にそれぞれ含まれる前記所要検査項目の検査結果値に、前記選択手段によって選択される前記所要基準値をそれぞれ対応させ、前記受診時に従って並べる前記第２画像の表示に切替える構成とすることを特徴とする請求項１に記載の検査データ判定システム。
【請求項３】
前記切替手段は、前記所要検査項目の前記検査結果値及び前記基準値を、前記受診時に従って並べる画像と、前記複数の検査データ要素にそれぞれ含まれる前記所要検査項目の検査結果値に、前記選択手段によって選択される前記所要基準値をそれぞれ対応させ、前記受診時に従って並べる画像とを含む前記第２画像の表示に切替える構成とすることを特徴とする請求項１に記載の検査データ判定システム。
【請求項４】
前記複数の検査データ要素に、前記選択手段によって選択される前記所要基準値を前記基準値としてそれぞれ付加する手段をさらに有し、前記表示手段は、前記所要検査項目の前記検査結果値と前記付加される基準値を含む前記基準値とを、前記複数の検査データ要素にそれぞれ含まれる前記受診時に従って並べる前記第１画像の表示を行なう構成とすることを特徴とする請求項１乃至３のうちいずれか一項に記載の検査データ判定システム。
【請求項５】
前記第１画像及び前記第２画像を、前記基準値及び前記検査結果値を示すグラフ画像とすることを特徴とする請求項１乃至４のうちいずれか一項に記載の検査データ判定システム。
【発明の詳細な説明】
【技術分野】
【０００１】
本発明は、健康診断に伴う各種検査項目毎に生成される検査結果値とその基準値の表示技術に係り、特に、適宜見直される基準値に応じて適した表示を提供する検査データ判定システムに関する。
【背景技術】
【０００２】
定期健康診断では、病院等の検査機関が各種検査項目に応じて受診者の検査を行なって検査結果値（測定値）を取得する。そして、異常判定のための検査項目毎の基準値に従って、各検査結果値を、例えば、基準値内（正常）又は基準値外（観察又は要治療等）と判定する。そして、医師や指導員は、検査後の面談で受診者に判定結果を提示し、また必要に応じて健康指導を検討して受診者を指導する。
【０００３】
「標準的な健診・保健指導プログラム（２００７年４月厚生労働省  健康局）」によると、健康診断によって取得される検査項目毎の検査結果値に対応するように、検査項目毎に異常判定のための基準値が付加されている。よって、例えば２００６年の健康診断の受診時のある検査項目における検査結果値には、２００６年の受診時の基準値が付加されているので、２００７年に２００６年の受診時の検査結果値を参照する際も、２００６年の受診時の検査結果値と２００６年の受診時の基準値とが対応されて表示される。
【０００４】
なお、健康診断において、各種検査項目毎の検査結果値の判定を統一して行なうことができる検査データ判定システムが開示されている（例えば、特許文献１参照。）。
【特許文献１】特開２００６−６７１９号公報
【発明の開示】
【発明が解決しようとする課題】
【０００５】
異常判定のための基準値は、学会等との連携の下定期的に見直しを行なうことが前提となっている。従来技術では、基準値が見直しされた場合に、健康診断の受診時の基準値でその都度判定するしかできない。例えば、２００７年の受診前にある検査項目の基準値が見直された場合、２００６年の受診時の検査結果値と、見直し後の基準値とを対応させて表示することができない。逆に、２００７年の受診前にある検査項目の基準値が見直された場合、２００７年の受診時の検査結果値と、見直し前の基準値とを対応させて表示することができない。
【０００６】
また、特許文献１に記載の技術を利用する場合であっても、検査結果値は、予め定められた基準値としか共に表示できない。例えば、２００７年の健康診断の受診前にある検査項目の基準値が見直された場合、２００６年の受診時の検査結果値と、２００７年の受診時の検査結果値とを並べて表示する際に同時に表示される基準値は、例えば見直し後のもののみである。つまり、２００６年の健康診断に係る面談・健康指導は、２００６年の受診時の基準値に基づいて実施されているにもかかわらず、見直し後の２００７年の表示では、２００６年の受診時の検査結果値も見直し後の基準値を用いて比較表示されてしまう。よって、２００６年の健康診断に係る面談・健康指導と、見直し後の２００７年の表示が一致せず、２００６年の健康診断に係る面談・健康指導の内容がその時点では適切であったにも関わらず、見直し後の２００７年の表示では２００６年の健康診断に係る面談・健康指導があたかも過大（又は過小）な指導内容であったかのような誤解を医師や指導員に与える可能性がある。
【０００７】
本発明は、このような事情を考慮してなされたもので、健康診断の受診者の診断精度・診断効率を向上できる検査データ判定システムを提供することを目的とする。
【課題を解決するための手段】
【０００８】
本発明に係る及び検査データ判定システムは、上述した課題を解決するために、健康診断の受診時毎に、前記健康診断の検査項目毎の検査結果値と前記受診時における基準値とを前記検査項目毎に対応させて付加して検査データ要素を生成する手段と、複数の前記受診時による複数の前記検査データ要素を記憶する記憶手段と、前記記憶手段から取得される前記複数の検査データ要素にそれぞれ含まれる所要検査項目の前記検査結果値及び前記基準値を、前記複数の検査データ要素にそれぞれ含まれる前記受診時に従って並べる第１画像の表示を行なう手段と、前記複数の検査データ要素にそれぞれ含まれる前記所要検査項目の前記基準値の中から、所要基準値を選択する選択手段と、前記第１画像の表示から、前記選択手段によって選択される前記所要基準値に基づく第２画像の表示に切替える切替手段と、を有する。
【発明の効果】
【０００９】
本発明に係る検査データ判定システムによると、健康診断の受診者の診断精度・診断効率を向上できる。
【発明を実施するための最良の形態】
【００１０】
本発明に係る検査データ判定システムの実施形態について、添付図面を参照して説明する。
【００１１】
図１は、第１実施形態の検査データ判定システムの構成を示す概略図である。
【００１２】
図１は、第１実施形態の検査データ判定システム１０を示す。検査データ判定システム１０は、コンピュータをベースとして構成され、基準値ＤＢ（ｄａｔａ  ｂａｓｅ）１１、検査データ要素ＤＢ１２、入力装置１３及び表示装置１４を有している。
【００１３】
基準値ＤＢ１１は、健康診断の検査項目毎の基準値（初期設定又は更新後の基準値）によって構成される。
【００１４】
図２（ａ），（ｂ），（ｃ）は、基準値ＤＢ１１の構成例をテーブルとして示す図である。
【００１５】
図２（ａ）は、２００５年９月１日の健康診断の受診時における基準値ＤＢ１１の構成例を示し、図２（ｂ）は、その翌年の２００６年６月１日の健康診断の受診時における基準値ＤＢ１１の構成例を示し、図２（ｃ）は、その翌年の２００７年６月１日の健康診断の受診時における基準値ＤＢ１１の構成例を示す。
【００１６】
図２（ａ），（ｂ），（ｃ）に示すように、基準値ＤＢ１１は、異常判断の基準値の見直しに対応して、見直し対象の検査項目の基準値が適宜更新されることによって構成される。例えば、図２（ｃ）の基準値ＤＢ１１に示すように、検査項目『中性脂肪』は、２００７年４月１日の基準値の見直しによって２００７年４月１日に、基準値『１５０〜２８０』から『１５０〜３００』に更新されている。
【００１７】
なお、検査項目としては、脂質系検査としての中性脂肪［ｍｇ／ｇｌ］、ＨＤＬ（ｈｉｇｈ  ｄｅｎｓｉｔｙ  ｌｉｐｏｐｒｏｔｅｉｎ）コレステロール［ｍｇ／ｇｌ］及びＬＤＬ（ｌｏｗ  ｄｅｎｓｉｔｙ  ｌｉｐｏｐｒｏｔｅｉｎ）コレステロール［ｍｇ／ｇｌ］を挙げているがそれらに限定されるものではない。その他に、検査項目としては、脂質系検査としての総コレステロール［ｍｇ／ｇｌ］等や、血液検査、眼科系検査、聴力検査、血圧検査、代謝系検査、痛風検査及び肝機能検査等が挙げられる。
【００１８】
また、図１に示す検査データ要素ＤＢ１２は、健康診断の受診者毎、かつ、受診時毎の検査データ要素によって構成される。検査データ要素ＤＢ１２の構成の詳細は後述する。
【００１９】
入力装置１３は、キーボード及びマウス等のポインティングデバイスによって構成される。
【００２０】
表示装置１４は、ＣＲＴ（ｃａｔｈｏｄｅ  ｒａｙ  ｔｕｂｅ）や液晶ディスプレイ等によって構成される。
【００２１】
また、検査データ判定システム１０は、図示しないＣＰＵ（ｃｅｎｔｒａｌ  ｐｒｏｃｅｓｓｉｎｇ  ｕｎｉｔ）がプログラムを実行することによって、インターフェース部２０、基準値更新部２１、検査データ要素生成部２２、基準値読出部２３、検査データ要素記録部２４、検査データ要素読出部２５、グラフ画像生成部２６及び基準値選択部２７として機能する。
【００２２】
インターフェース部２０としては、表示装置１４上にウィンドウ、アイコン及びボタン等のグラフィックを表示し、ユーザ（医師や指導員）が入力装置１３を用いて目的のグラフィックスを選択可能なユーザインターフェースであるＧＵＩ（ｇｒａｐｈｉｃａｌ  ｕｓｅｒ  ｉｎｔｅｒｆａｃｅ）が挙げられる。
【００２３】
基準値更新部２１は、健康診断の検査項目毎の基準値の見直しがある都度、基準値ＤＢを、インターフェース部２０を介してユーザ入力される検査項目毎の基準値に更新登録する機能を有する。
【００２４】
検査データ要素生成部２２は、健康診断の受診者に関する受診者属性（例えば、受診者ＩＤ（ｉｄｅｎｔｉｆｉｃａｔｉｏｎ））毎、かつ、健康診断の受診時毎に、インターフェース部２０を介してユーザ入力される検査結果値と、健康診断の受診時における基準値とを検査項目毎に対応させて付加して検査データ要素を生成する機能を有する。なお、検査データ要素の構成の概要を図３に示す。図３に示すように、検査結果値と基準値とは、１対１で対応している。
【００２５】
また、図１に示す基準値読出部２３は、検査データ要素生成部２２からの指示の下、ユーザ入力される検査結果値に対応する検査項目の基準値を基準値ＤＢ１１から読出して検査データ要素生成部２２に供給する機能を有する。なお、検査データ判定システム１０は、検査データ判定システム１０に基準値ＤＢ１１を有し、初期設定又は更新後の基準値を予め基準値ＤＢ１１に記憶させておき、必要に応じて基準値を基準値ＤＢ１１から読出す構成であるとして説明するが、その場合に限定されるものではない。例えば、検査データ判定システム１０の外側に基準値ＤＢ（図示しない）を有し、検査データ要素生成部２２が必要に応じて基準値を検査データ判定システム１０の外側の基準値ＤＢから取得する構成であってもよい。
【００２６】
図４（ａ），（ｂ），（ｃ）は、検査データ要素の一例を示す図である。
【００２７】
図４（ａ）は、２００５年９月１日の健康診断の受診によって生成される検査データ要素の一例を示し、図４（ｂ）は、その翌年の２００６年６月１日の健康診断の受診によって生成される検査データ要素の一例を示し、図４（ｃ）は、その翌年の２００７年６月１日の健康診断の受診によって生成される検査データ要素の一例を示す。なお、図４（ａ）に示す検査データ要素に含まれる基準値は図２（ａ）に対応し、図４（ｂ）に示す検査データ要素に含まれる基準値は図２（ｂ）に対応し、図４（ｃ）に示す検査データ要素に含まれる基準値は図２（ｃ）に対応している。
【００２８】
また、図１に示す検査データ要素記録部２４は、検査データ要素生成部２３によって生成される検査データ要素を検査データ要素ＤＢ１２に記録（登録）する機能を有する。
【００２９】
図５（ａ），（ｂ），（ｃ）は、検査データ要素ＤＢ１２の構成例をテーブルとして示す図である。
【００３０】
図５（ａ）は、２００５年９月１日（健康診断の受診時）の検査データ要素ＤＢ１２の構成例を示し、図５（ｂ）は、その翌年の２００６年６月１日（健康診断の受診時）の検査データ要素ＤＢ１２の構成例を示し、図５（ｃ）は、その翌年の２００７年６月１日（健康診断の受診時）の検査データ要素ＤＢ１２の構成例を示す。
【００３１】
図５（ａ），（ｂ），（ｃ）に示すように、検査データ要素ＤＢ１２は、検査データ、すなわち、受診者属性毎、かつ、受診時毎の複数の検査データ要素によって構成される。そして、図５（ｂ）に示す２００６年６月１日の検査データ要素ＤＢ１２には、図５（ａ）に示す検査データ要素ＤＢ１２の構成に、２００６年６月１日に検査データ要素記録部２４によって記録される受診者ＩＤ『ＡＢ０００１』の検査データ要素（図５（ｂ）に示す最下行）が加入されている。また、図５（ｃ）に示す２００７年６月１日の検査データ要素ＤＢ１２には、図５（ｂ）に示す検査データ要素ＤＢ１２の構成に、２００７年４月８日に検査データ要素記録部２４によって記録される受診者ＩＤ『ＡＢ００１１』の検査データ要素（図５（ｃ）に示す下から２行目）と、２００７年６月１日に検査データ要素記録部２４によって記録される受診者ＩＤ『ＡＢ０００１』の検査データ要素（図５（ｃ）に示す最下行）とが加入されている。
【００３２】
なお、図５（ａ），（ｂ），（ｃ）に示す検査データ要素ＤＢ１２は、受診者ＩＤ『ＡＢ０００１』に関する検査データ要素と、他の受診者ＩＤ『ＡＢ００１１』に関する検査データ要素とのみによって構成される例を示している。
【００３３】
また、図１に示す検査データ要素読出部２５は、検査後の診断において、インターフェース部２０を用いてユーザ入力される所要の受診者に関する検査データ要素を検査データ要素ＤＢ１２から読出す機能を有する。２００７年６月１日の診断において、図５（ｃ）に示す検査データ要素ＤＢ１２から検査データ要素読出部２５によって読出される受診者ＩＤ『ＡＢ０００１』に関する検査データ要素の一例を図６に示す。
【００３４】
グラフ画像生成部２６は、検査後の診断において、検査データ要素読出部２５によって読出される図６に示す検査データ要素にそれぞれ含まれる所要検査項目、例えば検査項目『中性脂肪』の検査結果値及び基準値を、図６に示す検査データ要素にそれぞれ含まれる受診時に従って並べるグラフ画像を生成する機能を有する。そのグラフ画像は、表示装置１４によって表示される。
【００３５】
図７は、初期表示のグラフ画像の一例を示す図である。
【００３６】
図７は、図６に示す３つの検査データ要素に含まれる検査項目『中性脂肪』に該当する検査結果値及び基準値を、図６に示す３つの検査データ要素に含まれる受診時に従って並べる場合のグラフ画像を示している。図７に示す２００７年６月１日の表示時では、図６に示す表示当日（２００７年６月１日）に生成される検査データ要素と、過去（２００５年９月１日及び２００６年６月１日）に生成される検査データ要素とが読出されるので、３列によって構成されるグラフ画像が生成される。
【００３７】
２００５年９月１日の検査データ要素は、図６に示すように２００７年４月１日の見直し前の基準値（１５０〜２８０［ｍｇ／ｄｌ］）を含んでいるので、図７に示すグラフ画像では、２００５年９月１日の健康診断における検査結果値（２４０［ｍｇ／ｄｌ］）は基準値内に存在する。２００６年６月１日の検査データ要素は、図６に示すように２００７年４月１日の見直し前の基準値（１５０〜２８０［ｍｇ／ｄｌ］）を含んでいるので、図７に示すグラフ画像では、２００６年６月１日の健康診断における検査結果値（２９０［ｍｇ／ｄｌ］）は基準値外（基準値外を全て『要指導』とする場合は『要指導』、基準値外を『観察』又は『要指導』と分類する場合は『観察』）に存在する。また、２００７年６月１日の検査データ要素は、図６に示すように２００７年４月１日の見直し後の基準値（１５０〜３００［ｍｇ／ｄｌ］）を含んでいるので、図７に示すグラフ画像では、２００７年６月１日の健康診断における検査結果値（２９０［ｍｇ／ｄｌ］）は基準値内に存在する。
【００３８】
また、図１に示す基準値選択部２７は、検査データ要素読出部２５によって読出される検査データ要素に含まれる検査項目『中性脂肪』に該当する基準値の中から所要基準値を選択する機能を有する。例えば、図６に示す３つの検査データ要素には検査項目『中性脂肪』に該当する２種類の基準値『１５０〜２８０［ｍｇ／ｄｌ］』及び『１５０〜３００［ｍｇ／ｄｌ］』が含まれている。よって、基準値選択部２７は、表示装置１４上に表示されるプルダウンメニューの基準値『最新』、『前回』又は『同時』の選択に従って、基準値『１５０〜２８０［ｍｇ／ｄｌ］』及び『１５０〜３００［ｍｇ／ｄｌ］』のうち少なくとも一方を選択する。
【００３９】
そして、基準値選択部２７によって所要基準値が選択される場合、グラフ画像生成部２６は、図６に示す３つの検査データ要素にそれぞれ含まれる検査項目『中性脂肪』の検査結果値に、基準値選択部２７によって選択される所要基準値を検査項目『中性脂肪』の検査結果値をそれぞれ対応させ、図６に示す３つの検査データ要素にそれぞれ含まれる受診時に従って並べるグラフ画像を生成する機能を有する。そのグラフ画像は、表示装置１４によって表示される。
【００４０】
図８及び図９は、基準値選択部２７による基準値選択後のグラフ画像の一例を示す図である。
【００４１】
図７に示す初期表示のグラフ画像（又は、図９、図１０に示すグラフ画像）と同一画面上で、プルダウンメニューから基準値『最新』を選択する場合、基準値選択部２７は、図６に示す検査データ要素に含まれる検査項目『中性脂肪』に該当する２種類の基準値『１５０〜２８０［ｍｇ／ｄｌ］』及び『１５０〜３００［ｍｇ／ｄｌ］』のうち最新の基準値『１５０〜３００［ｍｇ／ｄｌ］』を選択する。続いて、グラフ画像生成部２６は、図８に示すように、図６に示す３つの検査データ要素にそれぞれ含まれる検査項目『中性脂肪』の検査結果値を、図６に示す３つの検査データ要素にそれぞれ含まれる受診時に従って並べると共に、最新の基準値『１５０〜３００［ｍｇ／ｄｌ］』を検査項目『中性脂肪』の検査結果値とそれぞれ対応させて並べるグラフ画像が生成される。図７に示す初期表示のグラフ画像の表示は、インターフェース部２０を介して、図８に示す基準値選択後のグラフ画像の表示に切り替えられる。
【００４２】
図８に示す基準値選択後のグラフ画像の表示に切り替えられると、最新の基準値を使って全年の検査結果値を判定することになるため、２００６年６月１日の検査結果値の判定が基準値外（基準値外を全て『要指導』とする場合は『要指導』、基準値外を『正常』又は『観察』と分類する場合は『観察』）から基準値内に切り替わる。図７に示す初期表示のグラフ画像と図８に示すグラフ画像とを比較することで、最新の基準値に従って過去の検査結果値を再度見直すことができ、過去の検査結果値は特段問題にしなくてよい程度であることを認識できる。よって、ユーザは、過去に指導していた健康指導の内容を見直すことになる。
【００４３】
また、図７に示す初期表示のグラフ画像（又は、図８、図１０に示すグラフ画像）と同一画面上で、プルダウンメニューから基準値『前回』を選択する場合、基準値選択部２７は、図６に示す検査データ要素に含まれる検査項目『中性脂肪』に該当する２種類の基準値『１５０〜２８０［ｍｇ／ｄｌ］』及び『１５０〜３００［ｍｇ／ｄｌ］』のうち前回の基準値『１５０〜２８０［ｍｇ／ｄｌ］』を選択する。続いて、グラフ画像生成部２６は、図９に示すように、図６に示す３つの検査データ要素にそれぞれ含まれる検査項目『中性脂肪』の検査結果値を、図６に示す３つの検査データ要素にそれぞれ含まれる受診時に従って並べると共に、前回の基準値『１５０〜２８０［ｍｇ／ｄｌ］』を検査項目『中性脂肪』の検査結果値とそれぞれ対応させて並べるグラフ画像が生成される。図７に示す初期表示のグラフ画像の表示は、インターフェース部２０を介して、図９に示す基準値選択後のグラフ画像の表示に切り替えられる。
【００４４】
図９に示す基準値選択後のグラフ画像の表示に切り替えられると、２００７年６月１日の検査結果値の判定が基準値内から基準値外（基準値外を全て『要指導』とする場合は『要指導』、基準値外を『正常』又は『観察』と分類する場合は『観察』）に切り替わる。図７に示す初期表示のグラフ画像にて２００７年６月１日の検査結果値の判定が基準値内になったのは、検査結果値が改善されたからではなく、基準値が見直されたからであると認識できる。
【００４５】
又は、図１に示す基準値選択部２７によって所要基準値が選択される場合、グラフ画像生成部２６は、図６に示す３つの検査データ要素にそれぞれ含まれる検査項目『中性脂肪』の検査結果値及び基準値を、図６に示す３つの検査データ要素にそれぞれ含まれる受診時に従って並べるグラフ画像要素と、図６に示す３つの検査データ要素にそれぞれ含まれる検査項目『中性脂肪』の検査結果値に、基準値選択部２７によって選択される所要基準値をそれぞれ対応させ、図６に示す３つの検査データ要素にそれぞれ含まれる受診時に従って並べるグラフ画像要素とを含むグラフ画像を生成する機能を有する。そのグラフ画像は、表示装置１４によって表示される。
【００４６】
図１０は、基準値選択部２７による基準値選択後のグラフ画像の一例を示す図である。
【００４７】
図７に示す初期表示のグラフ画像（又は、図８、図９に示すグラフ画像）と同一画面上で、プルダウンメニューから基準値『同時』を選択する場合、基準値選択部２７は、図６に示す検査データ要素に含まれる検査項目『中性脂肪』に該当する２種類の基準値『１５０〜２８０［ｍｇ／ｄｌ］』及び『１５０〜３００［ｍｇ／ｄｌ］』の両方を選択する。続いて、グラフ画像生成部２６は、図１０に示すように、図６に示す３つの検査データ要素にそれぞれ含まれる検査項目『中性脂肪』の検査結果値を、図６に示す３つの検査データ要素にそれぞれ含まれる受診時に従って並べるグラフ画像要素と、前回の基準値『１５０〜２８０［ｍｇ／ｄｌ］』及び最新の基準値『１５０〜３００［ｍｇ／ｄｌ］』を検査項目『中性脂肪』の検査結果値とそれぞれ対応させて並べるグラフ画像要素とを含むグラフ画像が生成される。図７に示す初期表示のグラフ画像の表示は、インターフェース部２０を介して、図１０に示す基準値選択後のグラフ画像の表示に切り替えられる。
【００４８】
図１０に示す基準値選択後のグラフ画像の表示に切り替えられると、図８及び図９に示す基準値選択後のグラフ画像の表示による効果を併せて実現できる。
【００４９】
第１実施形態の検査データ判定システム１０によると、健康診断における検査項目毎の検査結果値を基準値と比較表示する際、適宜見直される基準値の表示を診断に応じて適宜切替えることによって、健康診断の受診者の診断精度を向上できる。
【００５０】
図１１は、第２実施形態の検査データ判定システムの構成を示す概略図である。
【００５１】
図１１は、第２実施形態の検査データ判定システム１０Ａを示す。検査データ判定システム１０Ａは、コンピュータをベースとして構成され、基準値ＤＢ１１、検査データ要素ＤＢ１２Ａ、入力装置１３及び表示装置１４を有している。
【００５２】
検査データ要素ＤＢ１２Ａは、図１に示す検査データ要素ＤＢ１２の機能に加え、後述する基準値付加部２８からの要求がある場合に、基準値が新たに付加された検査データ要素によって構成される。
【００５３】
また、検査データ判定システム１０は、図示しないＣＰＵがプログラムを実行することによって、インターフェース部２０、基準値更新部２１、検査データ要素生成部２２、基準値読出部２３、検査データ要素記録部２４、検査データ要素読出部２５、グラフ画像生成部２６、基準値選択部２７Ａ及び基準値付加部２８として機能する。
【００５４】
なお、図１１に示す検査データ判定システム１０Ａにおいて、図１に示す検査データ判定システム１０の構成要素と同一の構成要素には同一符号を付して説明を省略する。
【００５５】
基準値選択部２７Ａは、図１に示す基準値選択部２７の機能に加え、選択される所要基準値を基準値付加部２８に出力する機能を有する。
【００５６】
基準値付加部２８は、基準値選択部２７Ａによって選択される所要基準値を、検査データ要素ＤＢ１２を構成する検査データ要素に付加登録する機能を有する。なお、基準値付加部２８による所要基準値の付加後の検査データ要素ＤＢ１２の構成の概要を図１２に示す。図１２に示すように、検査結果値と基準値とは、１対ｎ（ｎ：２以上の整数）で対応している。
【００５７】
例えば、図７に示す初期表示のグラフ画像と同一画面上で、プルダウンメニューから基準値『前回』を選択する場合、図６に示す検査データ要素では対応されていない２００７年６月１日の検査項目『中性脂肪』の検査結果値と基準値『１５０〜２８０［ｍｇ／ｄｌ］』とが対応しているグラフ画像が生成される（図９の最右列）。この場合、基準値付加部２８は、図５（ｃ）に示す検査データ要素ＤＢ１２を構成する２００７年６月１日の検査データ要素に含まれる検査結果値に、新たに前回の基準値、すなわち、基準値『１５０〜２８０［ｍｇ／ｄｌ］』を付加する。
【００５８】
検査データ判定システム１０Ａに基準値付加部２８を有すると、２００７年６月２日以降に検査データ要素ＤＢ１２から読出される受診者『ＡＢ０００１』の検査データ要素を基に生成される初期表示のグラフ画像は、図１３に示すようになる。図１３に示すように、２００７年６月１日の検査項目『中性脂肪』の検査結果値には、受診時の基準値『１５０〜３００［ｍｇ／ｄｌ］』と、付加される基準値『１５０〜２８０［ｍｇ／ｄｌ］』とが対応されて表示されている。
【００５９】
図１３に示すような初期表示のグラフ画像によると、２００７年６月２日以降に、２００７年６月１日の診断時のコメントが、どのようなグラフ画像を基に作成されたのかを参照することができる。
【００６０】
第２実施形態の検査データ判定システム１０Ａによると、健康診断における検査項目毎の検査結果値を基準値と比較表示する際、適宜見直される基準値の表示を診断に応じて適宜切替えることによって、健康診断の受診者の診断精度・診断効率を向上できる。
【００６１】
また、第２実施形態の検査データ判定システム１０Ａによると、過去の診断のコメントの基になるデータを表示できるので、健康診断の受診者の診断精度・診断効率を向上できる。
【図面の簡単な説明】
【００６２】
【図１】第１実施形態の検査データ判定システムの構成を示す概略図。
【図２】（ａ）は、２００５年９月１日の健康診断の受診時における基準値ＤＢの構成例を示す図、（ｂ）は、その翌年の２００６年６月１日の健康診断の受診時における基準値ＤＢの構成例を示す図、（ｃ）は、その翌年の２００７年６月１日の健康診断の受診時における基準値ＤＢの構成例を示す図。
【図３】第１実施形態の検査データ判定システムにおける検査データ要素の構成の概要を示す図。
【図４】（ａ）は、２００５年９月１日の健康診断の受診によって生成される検査データ要素の一例を示す図、（ｂ）は、その翌年の２００６年６月１日の健康診断の受診によって生成される検査データ要素の一例を示す図、（ｃ）は、その翌年の２００７年６月１日の健康診断の受診によって生成される検査データ要素の一例を示す図。
【図５】（ａ）は、２００５年９月１日（健康診断の受診時）の検査データ要素ＤＢの構成例を示す図、（ｂ）は、その翌年の２００６年６月１日（健康診断の受診時）の検査データ要素ＤＢの構成例を示す図、（ｃ）は、その翌年の２００７年６月１日（健康診断の受診時）の検査データ要素ＤＢの構成例を示す図。
【図６】読出される所要の受診者に関する検査データ要素の一例を示す図。
【図７】第１実施形態の検査データ判定システムにおける初期表示のグラフ画像の一例を示す図。
【図８】基準値選択後のグラフ画像の一例を示す図。
【図９】基準値選択後のグラフ画像の一例を示す図。
【図１０】基準値選択後のグラフ画像の一例を示す図。
【図１１】第２実施形態の検査データ判定システムの構成を示す概略図。
【図１２】第２実施形態の検査データ判定システムにおける検査データ要素の構成の概要を示す図。
【図１３】第２実施形態の検査データ判定システムにおける初期表示のグラフ画像の一例を示す図。
【符号の説明】
【００６３】
１０  検査データ判定システム
１１  基準値ＤＢ
１２  検査データ要素ＤＢ
１３  入力装置
１４  表示装置
２０  インターフェース部
２１  基準値更新部
２２  基準値読出部
２３  検査データ要素生成部
２４  検査データ要素記録部
２５  検査データ要素読出部
２６  グラフ画像生成部
２７，２７Ａ  基準値選択部
２８  基準値付加部
【図１】
0005197139.tif 000002
【図２】
0005197139.tif 000003
【図３】
0005197139.tif 000004
【図４】
0005197139.tif 000005
【図５】
0005197139.tif 000006
【図６】
0005197139.tif 000007
【図７】
0005197139.tif 000008
【図８】
0005197139.tif 000009
【図９】
0005197139.tif 000010
【図１０】
0005197139.tif 000011
【図１１】
0005197139.tif 000012
【図１２】
0005197139.tif 000013
【図１３】
0005197139.tif 000014